(57)【要約】【課題】読取った画像に含まれる不要な影などを除去可能にする光電変換素子、画像読取装置及び画像形成装置を提供する。【解決手段】１つ以上の色ごとに一方向に配列された画素ごとに光電変換を行う光電変換部と、前記光電変換部が光電変換した電気信号をそれぞれデジタル信号に変換するＡＤ変換部と、前記画素の配列を複数の領域に分割し、前記ＡＤ変換部が変換したデジタル信号それぞれの出力又は非出力を前記領域ごとに制御する制御部とを有する。【選択図】図３
2015033091.tif 000002
【特許請求の範囲】
【請求項１】
１つ以上の色ごとに一方向に配列された画素ごとに光電変換を行う光電変換部と、
前記光電変換部が光電変換した電気信号をそれぞれデジタル信号に変換するＡＤ変換部と、
前記画素の配列を複数の領域に分割し、前記ＡＤ変換部が変換したデジタル信号それぞれの出力又は非出力を前記領域ごとに制御する制御部と、
を有することを特徴とする光電変換素子。
【請求項２】
前記ＡＤ変換部が変換したデジタル信号それぞれを、前記画素の配列順に並ぶシリアルデータに変換する変換部
をさらに有し、
前記制御部は、
前記シリアルデータに対して前記領域ごとにデジタル信号の出力開始画素及び出力終了画素を変更可能に制御することにより、前記ＡＤ変換部が変換したデジタル信号それぞれの出力又は非出力を前記領域ごとに制御すること
を特徴とする請求項１に記載の光電変換素子。
【請求項３】
前記制御部は、
前記ＡＤ変換部が変換したデジタル信号を非出力とする前記領域において、前記ＡＤ変換部が変換したデジタル信号に代えて、予め定められた他のデジタル信号を出力するように制御すること
を特徴とする請求項１又は２に記載の光電変換素子。
【請求項４】
前記ＡＤ変換部が変換したデジタル信号に基づいて背景色を検出する検出部
をさらに有し、
前記制御部は、
前記ＡＤ変換部が変換したデジタル信号を非出力とする前記領域において、前記ＡＤ変換部が変換したデジタル信号に代えて、前記検出部が検出した背景色を示すデジタル信号を出力するように制御すること
を特徴とする請求項１又は２に記載の光電変換素子。
【請求項５】
前記制御部は、
前記ＡＤ変換部が変換したデジタル信号を出力する前記領域における前記画素の配列方向の総画素数に応じて、前記ＡＤ変換部が変換したデジタル信号を出力する周期を変更すること
を特徴とする請求項１乃至４のいずれか１項に記載の光電変換素子。
【請求項６】
前記ＡＤ変換部が変換したデジタル信号それぞれが所定の閾値以上であるか否かを判定する判定部
をさらに有し、
前記制御部は、
前記判定部の判定結果に基づいて、前記画素の配列を複数の領域に分割し、前記ＡＤ変換部が変換したデジタル信号それぞれの出力又は非出力を前記領域ごとに制御すること
を特徴とする請求項１乃至５のいずれか１項に記載の光電変換素子。
【請求項７】
前記制御部は、
前記ＡＤ変換部が変換したデジタル信号が前記閾値未満であると判定した場合、前記閾値未満のデジタル信号に対応する前記画素を含む前記領域を、デジタル信号を非出力とする前記領域にすること
を特徴とする請求項６に記載の光電変換素子。
【請求項８】
前記判定部は、
前記光電変換部が光電変換を行うごとに、前記ＡＤ変換部が変換したデジタル信号それぞれが所定の閾値以上であるか否かを判定すること
を特徴とする請求項６又は７に記載の光電変換素子。
【請求項９】
請求項１乃至８のいずれか１項に記載の光電変換素子を有することを特徴とする画像読取装置。
【請求項１０】
前記ＡＤ変換部が変換したデジタル信号を非出力とする前記領域における前記ＡＤ変換部が変換したデジタル信号に代えて他のデジタル信号を出力するか、前記ＡＤ変換部が変換したデジタル信号を出力する前記領域における前記画素の配列方向の総画素数に応じて前記ＡＤ変換部が変換したデジタル信号を出力する周期を変更するかを、設定に応じて切替える切替手段を有すること
を特徴とする請求項９に記載の画像読取装置。
【請求項１１】
本原稿を読み取った場合に、前記ＡＤ変換部が変換したデジタル信号を非出力とする前記領域は、読み取った本原稿の中央付近であると判定する領域判定手段を有すること
を特徴とする請求項９又は１０に記載の画像読取装置。
【請求項１２】
請求項９乃至１１のいずれか１項に記載の画像読取装置と、
前記画像読取装置が読取った画像を形成する画像形成部と、
を有することを特徴とする画像形成装置。
【発明の詳細な説明】
【技術分野】
【０００１】
本発明は、光電変換素子、画像読取装置及び画像形成装置に関する。
【背景技術】
【０００２】
従来、画像読取装置では、複数のフォトダイオードなどの受光素子が受光により蓄積した電荷を電圧に変換し、順次にＡＤ変換することによって複数の画素データを順次に出力し、主走査方向の１ラインごとに画素データをまとめて画像を読取ることが行われている。つまり、１ラインの画像データを得るために、主走査方向の画素ごとに全画素データを順次に出力する必要があった。
【０００３】
これに対し、特許文献１には、画像の読み出し範囲を変更するために、画像の読み出しの開始位置を変更する機能を付加した変位センサが開示されている。
【発明の概要】
【発明が解決しようとする課題】
【０００４】
しかしながら、画像読取装置によって本や雑誌などを読取る場合、紙を綴じている部分や読取対象の周囲が黒く影となって画像が形成されてしまうことがある。また、読取った画像に対して画像処理を行うことにより、影となった部分を補正することも可能であるが、記憶容量の大きなメモリ等が必要になってしまう。
【０００５】
本発明は、上記に鑑みてなされたものであって、読取った画像に含まれる不要な影などを除去可能にする光電変換素子、画像読取装置及び画像形成装置を提供することを目的とする。
【課題を解決するための手段】
【０００６】
上述した課題を解決し、目的を達成するために、本発明は、１つ以上の色ごとに一方向に配列された画素ごとに光電変換を行う光電変換部と、前記光電変換部が光電変換した電気信号をそれぞれデジタル信号に変換するＡＤ変換部と、前記画素の配列を複数の領域に分割し、前記ＡＤ変換部が変換したデジタル信号それぞれの出力又は非出力を前記領域ごとに制御する制御部と、を有することを特徴とする。
【発明の効果】
【０００７】
本発明によれば、読取った画像に含まれる不要な影などを除去可能にすることができるという効果を奏する。
【図面の簡単な説明】
【０００８】
【図１】図１は、本の綴じられた原稿を読取った場合の出力画像例を示す図である。
【図２】図２は、実施形態にかかる画像読取装置の概要を示す側面図である。
【図３】図３は、実施形態にかかる画像読取装置の構成例を示すブロック図である。
【図４】図４は、光電変換素子の動作の第１例を示す図である。
【図５】図５は、光電変換素子の動作の第２例を示す図である。
【図６】図６は、光電変換素子が図５に示した動作を行った場合の出力画像を示す図である。
【図７】図７は、図３に示した画像読取装置の第１変形例を示すブロック図である。
【図８】図８は、光電変換素子の動作例を示す図である。
【図９】図９は、図３に示した画像読取装置の第２変形例を示すブロック図である。
【図１０】図１０は、光電変換素子の動作の第１例を示す図である。
【図１１】図１１は、光電変換素子の動作の第２例を示す図である。
【図１２】図１２は、図３に示した画像読取装置の第３変形例を示すブロック図である。
【図１３】図１３は、光電変換素子の動作例を示す図である。
【図１４】図１４は、画像読取装置の動作結果例を示す図である。
【図１５】図１５は、読取結果例を示す図である。
【図１６】図１６は、黒い影を防止する画像読取装置の第４変形例を示すブロック図である。
【図１７】図１７は、図１６に示した画像読取装置の第１動作例を示す図である。
【図１８】図１８は、図１６に示した画像読取装置の第２動作例を示す図である。
【図１９】図１９は、画像読取装置が黒い影となっていた領域を地肌レベルの画像データに置き換えて出力する画像を模式的に示した図である。
【図２０】図２０は、画像読取装置を備えた画像形成装置の概要を示す図である。
【発明を実施するための形態】
【０００９】
まず、本発明がなされるに至った背景について説明する。図１は、従来のフラットベットスキャナなどの画像読取装置によって、本などの綴じられた原稿を読取った場合の出力画像例を示す図である。
【００１０】
図１に示すように、本や雑誌をスキャン又はコピーしようとすると、綴じられている部分が厚みで浮いてしまうため、読取った画像では黒く影になってしまう。従来技術のＣＭＯＳラインセンサでは、画像の出力開始画素を指定できても、出力終了画素の指定はできず、任意の領域のみを出力するようにできないため、画像における影部分を消去することができない。
【００１１】
（実施形態）
以下に添付図面を参照して、画像読取装置の実施形態を詳細に説明する。図２は、実施形態にかかる画像読取装置１０の概要を示す側面図である。画像読取装置１０は、例えばシートスルー型であり、読取部本体１００（フラットベットスキャナ）と、自動原稿送り装置（ＡＤＦ）１０２とを有する。
【００１２】
読取部本体１００は、コンタクトガラス１０４、基準白板１０６、第１キャリッジ１０８、第２キャリッジ１１０、レンズ１１８、センサボード１２０に設けられたＣＭＯＳリニアセンサ１２２及びスキャナモータ１２４を有する。第１キャリッジ１０８は、光源１０９及びミラー１１２を有する。第２キャリッジ１１０は、ミラー１１４、１１６を有する。また、読取部本体１００には、自動原稿送り装置１０２が搬送する原稿を読取るための読取窓１３４が設けられている。
【００１３】
自動原稿送り装置１０２は、読取部本体１００の上部に配置され、原稿を自動給紙搬送する。自動原稿送り装置１０２は、原稿トレイ１３０、搬送ドラム１３２、排紙ローラ１３６及び排紙トレイ１３８などを有する。そして、自動原稿送り装置１０２は、原稿トレイ１３０に載せられた原稿を搬送ドラム１３２に向けて搬送し、搬送ドラム１３２が読取窓１３４に向けて原稿を搬送する。読取窓１３４の上方には、画像読取時の背景となる背景部１４０が設けられている。原稿は、読取窓１３４を通過したときに光源１０９により露光される。原稿からの反射光は、第１キャリッジ１０８のミラー１１２と、第２キャリッジ１１０のミラー１１４、１１６により折り返され、レンズ１１８を通ってセンサボード１２０上のＣＭＯＳリニアセンサ１２２の受光面上に縮小結像される。
【００１４】
また、原稿をコンタクトガラス１０４上に固定し、第１キャリッジ１０８及び第２キャリッジ１１０を走査させて原稿を読取るフラットベット読取では、コンタクトガラス１０４の下方から光源１０９によってコンタクトガラス１０４上の原稿が照射される。原稿からの反射光は、第１キャリッジ１０８のミラー１１２と、第２キャリッジ１１０のミラー１１４、１１６により折り返され、レンズ１１８を通ってセンサボード１２０上のＣＭＯＳリニアセンサ１２２の受光面上に縮小結像される。このとき、画像読取装置１０は、原稿の副走査方向に第１キャリッジ１０８が速度Ｖで移動し、第１キャリッジ１０８に連動して第２キャリッジ１１０が第１キャリッジ１０８の半分の速度１／２Ｖで移動して、原稿全体を読取る。
【００１５】
次に、実施形態にかかる画像読取装置の構成例について詳述する。図３は、実施形態にかかる画像読取装置の構成例（画像読取装置２ａ）を示すブロック図である。画像読取装置２ａは、ＬＥＤ２０、光電変換素子３ａ、記憶部２２及びＣＰＵ２４を有する。
【００１６】
図２に示した画像読取装置１０と、図３に示した画像読取装置２ａとは、対応している。即ち、ＬＥＤ２０は、図１に示した光源１０９に対応し、原稿に光を照射する。光電変換素子３ａは、図１に示したＣＭＯＳリニアセンサ１２２に対応し、原稿からの反射光を光電変換する。記憶部２２は、ＨＤＤ又はメモリなどによって構成される。ＣＰＵ２４は、画像読取装置２ａを構成する各部を制御する。
【００１７】
次に、光電変換素子３ａについて詳述する。光電変換素子３ａは、例えばＣＭＯＳリニアイメージセンサであり、光電変換部３０を含むアナログ処理部３１、メモリ３２ａ、変換部３４ａ、タイミング制御部３６ａ、読出制御部３８ａ及びシリアルインターフェイス（Ｉ／Ｆ）３９を有する。
【００１８】
タイミング制御部３６ａは、光電変換素子３ａ内の各部の動作に必要なクロック（ＣＬＫ、ＬＣＬＫ）、ライン同期信号（ＬＳＹＮＣ）などを生成する。
【００１９】
アナログ処理部３１は、例えば一方向に並ぶ７２００個の画素ごとに受光する受光素子（フォトダイオード）３００を備える光電変換部３０、増幅部（ＰＧＡ：Programmable  Gain  Amplifier）３０２及びＡＤ変換部３０４を有する。つまり、光電変換素子３ａは、受光素子３００、増幅部３０２及びＡＤ変換部３０４をそれぞれ７２００個ずつ有する。
【００２０】
光電変換素子３ａは、各受光素子３００が入射された光を電荷として蓄積し、図示しない電荷検出部によって電荷を電圧に変換する。増幅部３０２は、変換された電圧（アナログ信号）を増幅し、ＡＤ変換部３０４に対して出力する。ＡＤ変換部３０４それぞれは、増幅部３０２から受入れた画素データであるアナログ信号をデジタル信号にそれぞれ並列に変換し、変換したデジタル信号（デジタルデータ）をメモリ３２ａに対して出力する。
【００２１】
メモリ３２ａは、ＡＤ変換部３０４が変換したデジタルデータを画素ごとに記憶する。変換部３４ａは、メモリ３２ａが記憶したデジタルデータを読み出し、読み出したデジタルデータを主走査方向のシリアルデータに変換して出力する。つまり、変換部３４ａは、デジタルデータそれぞれを画素の配列順のシリアルデータに変換するパラレルシリアル変換を行っている。ただし、変換部３４ａは、後述するように読出制御部３８ａによって分割された領域ごとにデジタルデータそれぞれの出力又は非出力が制御される。
【００２２】
読出制御部３８ａは、分割制御部３８０ａ、及び第１分割部３８２−１〜第ｎ分割部３８２−ｎを有する。読出制御部３８ａは、第１分割部３８２−１〜第ｎ分割部３８２−ｎによって画素の配列を複数の領域（ステート）に分割し、ＡＤ変換部３０４が変換したデジタルデータそれぞれの出力（有効：読出す）又は非出力（無効：読出さない）を変更可能な領域ごとに制御する。第１分割部３８２−１〜第ｎ分割部３８２−ｎは、それぞれ変換部３４ａからの出力開始画素及び出力終了画素を制御する。ここで、読出制御部３８ａは、例えば外部の図示しないユーザインターフェイス装置（ＵＩ装置）による設定等により、画素の配列を複数の領域に分割する。
【００２３】
シリアルＩ／Ｆ３９は、例えば外部とシリアル通信を行う。また、タイミング制御部３６ａ及び読出制御部３８ａなどの制御を行う構成は、１つの制御部として構成されてもよい。
【００２４】
なお、図３においては、一方向に配列された画素ごとに光電変換を行う７２００個の受光素子３００を有する光電変換素子３ａを例に説明したが、これに限定されない。例えば、光電変換素子３ａは、Ｒ，Ｇ，Ｂそれぞれの色ごとに一方向に配列された画素ごとに光電変換を行うように構成されてもよい。また、光電変換素子３ａは、複数のＲ，Ｇ，Ｂの画素ごとにＡＤ変換を行うカラム式として構成されてもよい。
【００２５】
図４は、光電変換素子３ａの動作の第１例を示す図である。図４においては、光電変換素子３ａは、主走査方向に配列された画素を４つの領域（ステート）に分割している。光電変換素子３ａは、ライン同期信号ＬＳＹＮＣがアサートされると、第１ステートが有効になり（出力となり）、第１ステートの読出し開始画素（１画素目）から読出し終了画素（１８００画素目）までを画素クロックＣＬＫに同期させて順次出力する。
【００２６】
光電変換素子３ａは、第１ステートの読出しが完了すると、第２ステートが有効となり、第２ステートの読出し開始画素（１８０１画素目）から読出し終了画素（３６００画素目）までを画素クロックＣＬＫに同期させて順次出力する。
【００２７】
同様に、光電変換素子３ａは、第３ステート（３６０１〜５４００画素）→第４ステート（５４０１〜７２００画素）と順次出力する。なお、図４に示した例では、１ラインあたり７２００画素とし、４つのステートを均等分割している場合を示しているが、各ステートは設定に応じて変更可能にされている。例えば、第１ステートを１〜１０００画素目、第２ステートを１００１〜５０００画素目、第３ステートを５００１〜７０００画素目、第４ステートを７００１〜７２００画素目とするなど、各ステートはそれぞれ任意の開始画素及び終了画素を可能にされたものである。
【００２８】
図５は、光電変換素子３ａの動作の第２例を示す図である。図５においては、本や雑誌を綴じていて黒く影になる部分が主走査方向の３２０１画素〜４０００画素目に相当するとしている。この場合、第１ステート1の開始が１画素目であり終了が１８００画素目、第２ステートの開始が１８０１画素目であり終了が３２００画素目、第３ステートの開始が４００１画素目であり終了が５４００画素目、第４ステートの開始が５４０１画素目であり終了が７２００画素目にされることにより、３２０１画素目〜４０００画素目（５つ目の領域）の黒く影になる部分は出力されない。
【００２９】
図６は、光電変換素子３ａが図５に示した動作を行った場合の出力画像を示す図である。図６に示すように、光電変換素子３ａは、画素の配列を複数の領域に分割し、第１ステートから第４ステートにおいてデジタルデータの出力を行い、５つ目の領域においてデジタルデータの出力を行わない。よって、本や雑誌を読取る場合にも、原稿を綴じている部分の厚みによって不要な黒い影が形成されることを防止することができる。
【００３０】
（第１変形例）
図７は、図３に示した画像読取装置２ａの第１変形例（画像読取装置２ｂ）を示すブロック図である。図７に示すように、画像読取装置２ｂは、図３に示した画像読取装置２ａと共通の各部に加えて、光電変換素子３ｂがデータ記憶部（Ｄデータ）３３、変換部３４ｂ及び読出制御部３８ｂを有する。なお、各図において、図３に示した光電変換素子３ａを構成する部分など、実質的に同一の部分には同一の符号が付してある。
【００３１】
データ記憶部３３は、例えば白色を示すデジタルデータなど、予め定められた任意のデジタルデータを記憶する。読出制御部３８ｂは、分割制御部３８０ｂ、及び第１分割部３８２−１〜第ｎ分割部３８２−ｎを有する。読出制御部３８ｂは、第１分割部３８２−１〜第ｎ分割部３８２−ｎによって画素の配列を複数の領域（ステート）に分割し、ＡＤ変換部３０４が変換したデジタルデータそれぞれの出力（有効：読出す）又は非出力（無効：読出さない）を変更可能な領域ごとに制御する。ここで、読出制御部３８ｂは、例えば外部の図示しないユーザインターフェイス装置（ＵＩ装置）による設定等により、画素の配列を複数の領域に分割する。
【００３２】
変換部３４ｂは、メモリ３２ａが記憶したデジタルデータを読み出し、読み出したデジタルデータを主走査方向のシリアルデータに変換して出力する。つまり、変換部３４ｂは、パラレルシリアル変換を行っている。ただし、変換部３４ｂは、読出制御部３８ｂによって分割された領域ごとにデジタルデータそれぞれの出力又は非出力が制御される。また、変換部３４ｂは、ＡＤ変換部３０４が変換したデジタルデータを出力するよう制御する信号を第１分割部３８２−１〜第ｎ分割部３８２−ｎのいずれからも受入れない場合、ＡＤ変換部３０４が変換したデジタルデータに代えて、データ記憶部３３が記憶しているデジタルデータを出力する。
【００３３】
図８は、光電変換素子３ｂの動作例を示す図である。図８においては、図５に示した例と同様に、本や雑誌を綴じていて黒く影になる部分が主走査方向の３２０１画素〜４０００画素目に相当するとしている。光電変換素子３ｂは、主走査方向の３２０１画素〜４０００画素目の領域に対し、ＡＤ変換部３０４が変換したデジタルデータに代えて、データ記憶部３３が記憶している任意のデジタルデータを出力する。
【００３４】
（第２変形例）
図９は、図３に示した画像読取装置２ａの第２変形例（画像読取装置２ｃ）を示すブロック図である。図９に示すように、画像読取装置２ｃは、図３に示した画像読取装置２ａと共通の各部に加えて、光電変換素子３ｃが検出部３５、変換部３４ｃ及び読出制御部３８ｂを有する。
【００３５】
検出部３５は、メモリ３２ａが記憶したデジタルデータを読み出し、光電変換部３０が光電変換を行った撮像対象の背景色を検出する。検出部３５は、撮像対象が本などである場合、本の地肌の色を検出することとなる。検出部３５は、例えば本の地肌の色を検出する場合、メモリ３２ａが記憶したデジタルデータを副走査方向で平均化することにより、正確な地肌レベルを検出する。
【００３６】
変換部３４ｃは、メモリ３２ａが記憶したデジタルデータを読み出し、読み出したデジタルデータを主走査方向のシリアルデータに変換して出力する。つまり、変換部３４ｃは、パラレルシリアル変換を行っている。ただし、変換部３４ｃは、読出制御部３８ｂによって分割された領域ごとにデジタルデータそれぞれの出力又は非出力が制御される。また、変換部３４ｃは、ＡＤ変換部３０４が変換したデジタルデータを出力するよう制御する信号を第１分割部３８２−１〜第ｎ分割部３８２−ｎのいずれからも受入れない場合、ＡＤ変換部３０４が変換したデジタルデータに代えて、検出部３５が検出した背景色を示すデジタルデータを出力する。
【００３７】
図１０は、光電変換素子３ｃの動作の第１例を示す図である。図１０においては、図５に示した例と同様に、本や雑誌を綴じていて黒く影になる部分が主走査方向の３２０１画素〜４０００画素目に相当するとしている。光電変換素子３ｃは、主走査方向の３２０１画素〜４０００画素目の領域に対し、ＡＤ変換部３０４が変換したデジタルデータに代えて、検出部３５が検出した背景色を示すデジタルデータを出力する。
【００３８】
図１１は、光電変換素子３ｃの動作の第２例を示す図である。図１０において、本原稿は、図１０に示した向きとは異なる向きに置かれて画像が読取られる。図１１の上段に示すように、図１に示した例とは異なる向きに本原稿が置かれた場合、光電変換素子３ｃは、黒い影になる部分のライン（主走査方向）に相当する期間で全てのステートを無効とし、Ｄ＿ｄａｔａ＿ｅｎを有効とすることにより、検出部３５が検出した背景色（地肌レベル）のデジタルデータを出力する。
【００３９】
（第３変形例）
図１２は、図３に示した画像読取装置２ａの第３変形例（画像読取装置２ｄ）を示すブロック図である。図１２に示すように、画像読取装置２ｄは、図９に示した画像読取装置２ｃと共通の各部に加えて、タイミング制御部３６ｂを備えた光電変換素子３ｄを有する。タイミング制御部３６ｂは、周期変更部３６０を備えている。
【００４０】
周期変更部３６０は、読出制御部３８ｂが制御した読出開始画素及び読出終了画素に基づいて、ライン同期信号（ＬＳＹＮＣ）の周期を変更する。具体的には、周期変更部３６０は、ＡＤ変換部３０４が変換したデジタル信号を出力する領域における画素の配列方向の総画素数に応じて、ＡＤ変換部３０４が変換したデジタル信号を出力する周期を変更する。
【００４１】
また、画像読取装置２ｄは、設定に応じて切替手段となるＣＰＵ２４の制御により、ＡＤ変換部３０４が変換したデジタル信号を非出力とする領域におけるＡＤ変換部３０４が変換したデジタル信号に代えて他のデジタル信号を出力するか、ＡＤ変換部３０４が変換したデジタル信号を出力する領域における画素の配列方向の総画素数に応じてＡＤ変換部３０４が変換したデジタル信号を出力する周期を変更するかを切替える。
【００４２】
図１３は、光電変換素子３ｄの動作例を示す図である。図１３においては、図５に示した例と同様に、本や雑誌を綴じていて黒く影になる部分が主走査方向の３２０１画素〜４０００画素目に相当するとしている。例えば、光電変換素子３３は、３２０１画素〜４０００画素目に相当する領域に対して出力を行わず、次ステート（第３ステート）の読出し動作を前倒し、ライン周期を短くする。
【００４３】
図１３に示した例では、光電変換素子３ｄは、約８００画素分ライン周期を短くすることができる。このとき、画像読取装置２ｄは、短縮したライン周期に対応するように読取線速を速くすることにより、画像読取の生産性をあげることができる。
【００４４】
図１４は、画像読取装置２ｄの動作結果例を示す図である。例えば、画像読取装置２ｄでは、奥側の原稿設置基準に合わせて本原稿が設置される。ここで、画像読取装置２ｄは、主走査方向及び副走査方向それぞれで原稿サイズの検知を行った上で画像の読み取りを行うとする。通常、本原稿は中央部で綴じられており、本原稿の浮き上がりによって読取画像が黒くなってしまう部分も本原稿の中央部である。よって、画像読取装置２ｄは、中央付近で黒影を消し、地肌レベルを出力するように構成されてもよい。
【００４５】
また、一般に本原稿を画像読取装置によって読取る場合、本原稿の周囲に黒い影を有する画像が形成されてしまうことがある。図１５に読取結果例を示すように、ユーザーは、原稿を押さえる圧板やＡＤＦを開けたままの状態で本原稿を読取る場合がある。この場合、本原稿の浮き上がり部分だけでなく、本原稿のない部分も黒い影の画像となってしまう。
【００４６】
（第４変形例）
図１６は、図１５に示した黒い影を防止する画像読取装置２ａの第４変形例（画像読取装置２ｅ）を示すブロック図である。図１６に示すように、画像読取装置２ｅは、図１２に示した画像読取装置２ｄと共通の各部に加えて、光電変換素子３ｅがメモリ３２ｃ、読出制御部３８ｃ、レベル検出部３７０及び判定部３７２を有する。
【００４７】
レベル検出部３７０は、メモリ３２ｃが記憶したデジタルデータを読み出し、光電変換部３０が光電変換を行った画素ごとのデジタルデータのレベルを検出する。判定部３７２は、レベル検出部３７０が検出したレベルが所定の閾値以上であるか否かを判定し、判定結果を読出制御部３８ｃに対して出力する。ここで、判定部３７２は、デジタルデータが閾値以上の値であれば通常の画像データと判断する。また、判定部３７２は、デジタルデータが閾値未満であれば黒影となっているデータであると判断する。
【００４８】
読出制御部３８ｃは、通常の画像データであるデジタルデータは有効であるとして、変換部３４ｃから領域ごとに出力させる。また、読出制御部３８ｃは、黒影となっているデータに対しては、例えば原稿の地肌を示すデジタルデータを変換部３４ｃから領域ごとに出力させる。
【００４９】
図１７は、図１６に示した画像読取装置２ｅの第１動作例を示す図である。レベル検出部３７０は、例えば１ライン分のバッファを保持しているとする。これにより、図１７の上側に示されたように縦方向に本原稿が置かれた場合、画像読取装置２ｅは、レベル検出部３７０が保持している１ライン分の画像データから、閾値未満の画像データがどの部分に存在するかを判定することにより、本を綴じた状態に相当する領域があるか否かを判定する。また、画像読取装置２ｅは、本原稿がない領域にでは１ライン期間全てにおいて閾値未満の画像データが保持されることから、画像が黒くなる部分を判定する。
【００５０】
図１８は、図１６に示した画像読取装置２ｅの第２動作例を示す図である。図１８においては、本原稿は図１７に示された向きとは異なる向き（横向き）に設置されている。画像読取装置２ｅは、保持されている１ライン期間の画像データにおいて、閾値未満の画像データが主走査方向後端部に存在していると判定し、その領域の画像データを地肌レベル
の画像データとする。
【００５１】
また、本が綴じられている部分に相当する領域では、１ライン全期間において閾値未満の画像データとなる。よって、画像読取装置２ｅは、１ライン全ての期間において各ステートを無効にし、検出している地肌レベルを出力する。さらに、本原稿が存在しない領域においては、同様に１ライン全期間において閾値未満の画像データとなる。よって、画像読取装置２ｅは、各ステートを無効にし、検出している地肌レベルを出力する。
【００５２】
図１９は、画像読取装置２ｅが黒い影となっていた領域を地肌レベルの画像データに置き換えて出力する画像を模式的に示した図である。なお、原稿サイズ検知又は原稿サイズ入力により、原稿のサイズと向き（縦向き又は横向き）が特定される場合、画像読取装置２ｅは、原稿の主走査方向１ライン中の中央付近ｎ数ｃｍ分（本の厚みにより原稿が浮いてしまう部分）の検出結果を保持できるだけのメモリを設けて本を綴じている部分の検出を行うように構成されてもよい。
【００５３】
次に、画像読取装置２ａを備えた画像形成装置５について説明する。図２０は、画像読取装置２ａを備えた画像形成装置５の概要を示す図である。画像形成装置５は、画像読取装置２ａと画像形成部６とを有する例えば複写機やＭＦＰ（Multifunction  Peripheral）などである。
【００５４】
画像読取装置２ａは、光電変換素子３ａ及びＬＥＤ２０などを含む。ＬＥＤ２０は、原稿に対して光を照射する。そして、光電変換素子３ａは、光電変換、ＡＤ変換及びパラレルシリアル変換を行った後に、画像データを画像形成部６に対して出力する。
【００５５】
画像形成部６は、処理部６０とプリンタエンジン６２とを有し、処理部６０とプリンタエンジン６２とがインターフェイス（Ｉ／Ｆ）６４を介して接続されている。
【００５６】
処理部６０は、画像処理部６０２及びＣＰＵ６０４を有する。ＣＰＵ６０４は、光電変換素子３ａなどの画像形成装置５を構成する各部を制御する。
【００５７】
画像処理部６０２は、画像読取装置２ａが出力した画像データを用いて画像処理を行い、画像データなどをプリンタエンジン６２に対して出力する。プリンタエンジン６２は、受入れた画像データを用いて印刷を行う。
【符号の説明】
【００５８】
１０  画像読取装置
１００  読取部本体
１０２  自動原稿送り装置
１２２  ＣＭＯＳリニアセンサ
２ａ、２ｂ、２ｃ、２ｄ、２ｅ  画像読取装置
２０  ＬＥＤ
２２  記憶部
２４  ＣＰＵ
３ａ、３ｂ、３ｃ、３ｄ、３ｅ  光電変換素子
３０  光電変換部
３００  受光素子
３１  アナログ処理部
３０２  増幅部
３０４  ＡＤ変換部
３２ａ、３２ｂ、３２ｃ  メモリ
３３  データ記憶部
３４ａ、３４ｂ、３４ｃ  変換部
３５  検出部
３６ａ、３６ｂ  タイミング制御部
３６０  周期変更部
３７０  レベル検出部
３７２  判定部
３８ａ、３８ｂ、３８ｃ  読出制御部
３８０ａ、３８０ｂ  分割制御部
３８２−１  第１分割部
３８２−ｎ  第ｎ分割部
３９  シリアルＩ／Ｆ
５  画像形成装置
６  画像形成部
６０  処理部
６０２  画像処理部
６０４  ＣＰＵ
６２  プリンタエンジン
６４  インターフェイス（Ｉ／Ｆ）
【先行技術文献】
【特許文献】
【００５９】
【特許文献１】特開２０１２−７８１４１号公報
【図１】
2015033091.tif 000003
【図２】
2015033091.tif 000004
【図３】
2015033091.tif 000005
【図４】
2015033091.tif 000006
【図５】
2015033091.tif 000007
【図６】
2015033091.tif 000008
【図７】
2015033091.tif 000009
【図８】
2015033091.tif 000010
【図９】
2015033091.tif 000011
【図１０】
2015033091.tif 000012
【図１１】
2015033091.tif 000013
【図１２】
2015033091.tif 000014
【図１３】
2015033091.tif 000015
【図１４】
2015033091.tif 000016
【図１５】
2015033091.tif 000017
【図１６】
2015033091.tif 000018
【図１７】
2015033091.tif 000019
【図１８】
2015033091.tif 000020
【図１９】
2015033091.tif 000021
【図２０】
2015033091.tif 000022